(57)【要約】【課題】電気部品を確実に位置決めできかつ強固に保持することのできる電気部品用ソケットを提供する。【解決手段】電気部品３が装着される収納部２０を備えたハウジング１０と、電気部品３に設けられる外部接触部と接続する端子部材１１とを備え、端子部材１１はハウジング１０の収納部２０を構成する第１の面２３の内面に設けられ、ハウジング１０の第１の面２３と対向する第２の面２４には電気部品３の動きを規制する規制部３２が設けられると共に、規制部３２と第１の面２３との間に電気部品３を挿入可能な装着開口３１が設けられ、電気部品３を装着開口３１から挿入し収納部２０に収納すると端子部材１１は外部接触部に接続すると共に、規制部３２が電気部品３に当接して、第１の面２３と第２の面２４の向かい合う方向への電気部品３の移動を規制する。【選択図】図１
2009054453.tif 000002
【特許請求の範囲】
【請求項１】
電気部品が装着される収納部を備えたハウジングと、前記電気部品に設けられる外部接触部と接続する端子部材とを備えた電気部品用ソケットにおいて、
前記端子部材は前記ハウジングの収納部を構成する第１の面の内面に設けられ、前記ハウジングの前記第１の面と対向する第２の面には前記電気部品の動きを規制する規制部が設けられると共に、該規制部と前記第１の面との間に前記電気部品を挿入可能な装着開口が設けられ、
前記電気部品を前記装着開口から挿入し前記収納部に収納すると前記端子部材は外部接触部に接続すると共に、前記規制部が前記電気部品に当接して、前記第１の面と前記第２の面の向かい合う方向への前記電気部品の移動を規制することを特徴とする電気部品用ソケット。
【請求項２】
前記ハウジングは樹脂からなる本体部と、金属からなり前記本体部に装着される枠体とからなり、前記本体部には前記収納部と前記装着開口が形成されると共に、前記端子部材が固定され、前記枠体は前記本体部の外面を囲むように形成されると共に、前記規制部が形成されることを特徴とする請求項１記載の電気部品用ソケット。
【請求項３】
前記枠体には前記装着開口の近傍に弾性を有したロック片が形成され、前記収納部に収納された前記電気部品に係合して、前記装着開口の方向への前記電気部品の移動を規制することを特徴とする請求項２記載の電気部品用ソケット。
【請求項４】
前記端子部材は前記外部接触部と接触する接触部を備え、該接触部は前記電気部品の挿入方向に沿って前記収納部の奥側に向かって延出してなることを特徴とする請求項１〜３のいずれか１項に記載の電気部品用ソケット。
【請求項５】
前記ハウジングは略箱状に形成され、前記装着開口は前記第１の面及び前記第２の面と直交する側面に形成されることを特徴とする請求項１〜４のいずれか１項に記載の電気部品用ソケット。
【請求項６】
前記規制部は前記装着開口の側端部に、前記第１の面から遠ざかる方向に傾斜する傾斜面を有することを特徴とする請求項１〜５のいずれか１項に記載の電気部品用ソケット。
【請求項７】
前記第２の面には開口部が形成され、前記収納部は撮像素子を備えた基部と、該基部から突出したレンズ部とを有したカメラモジュールからなる前記電気部品を収納可能とされ、前記電気部品を前記装着開口から挿入し前記収納部に収納すると、前記規制部は前記基部に当接して前記電気部品の移動を規制すると共に、前記開口部から前記レンズ部が突出することを特徴とする請求項１〜６のいずれか１項に記載の電気部品用ソケット。
【発明の詳細な説明】
【技術分野】
【０００１】
本発明はカメラモジュール等の電気部品を保持すると共に電気的に接続する電気部品用ソケットに関し、特に電気部品を確実に位置決めすると共に強固に保持することのできる電気部品用ソケットに関する。
【背景技術】
【０００２】
従来、電気部品を保持すると共に電気的に接続する電気部品用ソケットが広く用いられている。電気部品用ソケットは、電気部品を収納する収納部を有し、収納部は一面が開口状に形成されると共に、それと対向する面には端子部材が設けられる。開口側から収納部に挿入された電気部品は、その外部接触部が端子部材に対して接触し導通状態となると共に、収納部に設けられるロック片によって固定されて保持される。
【０００３】
ロック片は、開口側から電気部品に係合するように形成されており、電気部品の挿入の際には電気部品の側面によって一旦外方に変形し、装着位置に電気部品が配置されると変形状態から戻って電気部品に対して係合する。このようなロック片を有した電気部品用ソケットとしては、例えば特許文献１に挙げるようなものがある。
【特許文献１】特開２００５−３２５６７号公報
【発明の開示】
【発明が解決しようとする課題】
【０００４】
電気部品用ソケットにおいては、ハウジングは樹脂からなる本体部と、金属からなり本体部を囲むように取付けられる枠部とからなり、ロック片は枠部に形成されるのが一般的である。しかし、従来の電気部品用ソケットでは、本体部と枠部との取付精度や、枠部を形成する際のプレス曲げ工程によるロック片の寸法精度により、電気部品を装着したときに所定の基準軸から傾いて装着してしまうことがある。また、弾性を有したロック片では、電気部品の保持強度を充分に確保することが困難であった。
【０００５】
本発明は前記課題を鑑みてなされたものであり、電気部品を確実に位置決めできかつ強固に保持することのできる電気部品用ソケットを提供することを目的とする。
【課題を解決するための手段】
【０００６】
前記課題を解決するため、本発明に係る電気部品用ソケットは、電気部品が装着される収納部を備えたハウジングと、前記電気部品に設けられる外部接触部と接続する端子部材とを備えた電気部品用ソケットにおいて、
前記端子部材は前記ハウジングの収納部を構成する第１の面の内面に設けられ、前記ハウジングの前記第１の面と対向する第２の面には前記電気部品の動きを規制する規制部が設けられると共に、該規制部と前記第１の面との間に前記電気部品を挿入可能な装着開口が設けられ、
前記電気部品を前記装着開口から挿入し前記収納部に収納すると前記端子部材は外部接触部に接続すると共に、前記規制部が前記電気部品に当接して、前記第１の面と前記第２の面の向かい合う方向への前記電気部品の移動を規制することを特徴として構成されている。
【０００７】
また、本発明に係る電気部品用ソケットは、前記ハウジングは樹脂からなる本体部と、金属からなり前記本体部に装着される枠体とからなり、前記本体部には前記収納部と前記装着開口が形成されると共に、前記端子部材が固定され、前記枠体は前記本体部の外面を囲むように形成されると共に、前記規制部が形成されることを特徴として構成されている。
【０００８】
さらに、本発明に係る電気部品用ソケットは、前記枠体には前記装着開口の近傍に弾性を有したロック片が形成され、前記収納部に収納された前記電気部品に係合して、前記装着開口の方向への前記電気部品の移動を規制することを特徴として構成されている。
【０００９】
さらにまた、本発明に係る電気部品用ソケットは、前前記端子部材は前記外部接触部と接触する接触部を備え、該接触部は前記電気部品の挿入方向に沿って前記収納部の奥側に向かって延出してなることを特徴として構成されている。
【００１０】
そして、本発明に係る電気部品用ソケットは、前記ハウジングは略箱状に形成され、前記装着開口は前記第１の面及び前記第２の面と直交する側面に形成されることを特徴として構成されている。
【００１１】
また、本発明に係る電気部品用ソケットは、前記規制部は前記装着開口の側端部に、前記第１の面から遠ざかる方向に傾斜する傾斜面を有することを特徴として構成されている。
【００１２】
さらに、本発明に係る電気部品用ソケットは、前記第２の面には開口部が形成され、前記収納部は撮像素子を備えた基部と、該基部から突出したレンズ部とを有したカメラモジュールからなる前記電気部品を収納可能とされ、前記電気部品を前記装着開口から挿入し前記収納部に収納すると、前記規制部は前記基部に当接して前記電気部品の移動を規制すると共に、前記開口部から前記レンズ部が突出することを特徴として構成されている。
【発明の効果】
【００１３】
本発明に係る電気部品用ソケットによれば、ハウジングの第１の面と対向する第２の面には電気部品の動きを規制する規制部が設けられると共に、規制部と第１の面との間に電気部品を挿入可能な装着開口が設けられ、電気部品を装着開口から挿入し収納部に収納すると端子部材は外部接触部に接続すると共に、規制部が電気部品に当接して、第１の面と第２の面の向かい合う方向への電気部品の移動を規制することにより、規制部の電気部品に対する当接により電気部品を確実に収納部に固定し、精度よく位置決めすることができる。
【００１４】
また、本発明に係る電気部品用ソケットによれば、ハウジングは樹脂からなる本体部と、金属からなり本体部に装着される枠体とからなり、本体部には収納部と装着開口が形成されると共に、端子部材が固定され、枠体は本体部の外面を囲むように形成されると共に、規制部が形成されることにより、規制部が金属からなる枠体に形成されることになるので、電気部品をより確実に規制して位置決めの精度を高めることができる。
【００１５】
さらに、本発明に係る電気部品用ソケットによれば、枠体には装着開口の近傍に弾性を有したロック片が形成され、収納部に収納された電気部品に係合して、装着開口の方向への電気部品の移動を規制することにより、電気部品の収納部からの抜けを防止することができる。
【００１６】
さらにまた、本発明に係る電気部品用ソケットによれば、端子部材は外部接触部と接触する接触部を備え、接触部は電気部品の挿入方向に沿って収納部の奥側に向かって延出してなることにより、接触部を電気部品の挿入に伴って変形させることができ、端子部材の座屈変形を防止することができる。
【００１７】
そして、本発明に係る電気部品用ソケットによれば、ハウジングは略箱状に形成され、装着開口は第１の面及び第２の面と直交する側面に形成されることにより、電気部品を接触部を備えた面と規制部との間に向けて容易に挿入することができる。
【００１８】
また、本発明に係る電気部品用ソケットによれば、規制部は装着開口の側端部に、第１の面から遠ざかる方向に傾斜する傾斜面を有することにより、電気部品を収納部に装着する際に、電気部品を挿入しやすくすることができる。
【００１９】
さらに、本発明に係る電気部品用ソケットによれば、第２の面には開口部が形成され、収納部は撮像素子を備えた基部と、基部から突出したレンズ部とを有したカメラモジュールからなる電気部品を収納可能とされ、電気部品を装着開口から挿入し収納部に収納すると、規制部は基部に当接して電気部品の移動を規制すると共に、開口部からレンズ部が突出することにより、カメラモジュールの基部を確実に位置決め規制しつつ、レンズ部を外方に露出させてカメラモジュールとして機能させることができる。
【発明を実施するための最良の形態】
【００２０】
本発明の実施形態について図面に沿って詳細に説明する。図１には、本実施形態における電気部品用ソケットと電気部品の分解斜視図を示している。この図に示すように、本実施形態における電気部品用ソケット１は、基板２に取付けられ電気部品３を収納可能としてなるものであり、電気部品３が装着される収納部２０を備えたハウジング１０と、電気部品３の図中裏面側に設けられる外部接触部（図示しない）と接続する端子部材１１とを備えて構成されている。
【００２１】
ハウジング１０の収納部２０は、電気部品３の外周に略適合する大きさを有する空間部として形成され、電気部品３の外部接触部が設けられる面と対向する第１の面２３の内面に端子部材１１が埋設されて、これが装着された電気部品３の外部接触部と接触するようにしている。また、ハウジング１０の第１の面２３と対向する側は、開口部３４とされているが、一部が側面側から張り出して第２の面２４を構成している。第１の面２３と第２の面２４との間を構成する上下面は、下面が基板２に対する取付面となっており、それと対向する上面は開口して電気部品３を装着可能な装着開口３１とされている。
【００２２】
このようにハウジング１０が略箱状に形成され、装着開口３１は第１の面２３及び第２の面２４と直交する側面に形成されているので、基板２に取付けられた電気部品用ソケット１に対して、上方から基板２の面と垂直な方向に向かって電気部品３を装着することができる。装着された電気部品３は、外部接触部が端子部材１１と導通し、電気部品としての機能を果たすことができるようになる。
【００２３】
次に、電気部品用ソケット１のより詳細な構成について説明する。図２には、電気部品用ソケット１の分解斜視図を示している。この図に示すように、ハウジング１０は樹脂からなる本体部２１と、金属からなる枠体２２との二部材によって構成されている。本体部２１は、収納部２０を構成する部分を有した略箱状に形成されており、端子部材１１を固定する端子取付部３０を有した第１の面２３を備え、さらに基板２に対する取付面と両側面とを備えている。枠体２２は、本体部２１に対して上方から装着可能となるように形成されており、主に本体部２１の両側面を覆うように形成されている。
【００２４】
枠体２２には、本体部２１に装着された際に第１の面２３と対向する第２の面２４に相当する面が形成されており、この面は装着された電気部品３の第１の面２３と第２の面２４の向かい合う方向への移動を規制する規制部３２として形成されている。規制部３２の上端部には、装着開口３１側に向かって第１の面２３側から遠ざかる方向に傾斜する傾斜面３２ａが形成されている。この傾斜面３２ａが形成されていることにより、電気部品３の装着開口３１に対する挿入を容易にすることができる。
【００２５】
枠体２２の上端部には、内側下方に向かって弾性的に折り返されたロック片３３が形成されており、これは装着された電気部品３の抜け止めの機能を有している。また、枠体２２の両側下端部には、下方に向かって延びる挿入片２６が形成されている。一方で本体部２１の両側面には、それぞれ挿入片２６を挿入可能な係合部２５が形成されており、この係合部２５に挿入片２６を挿入し係合させることにより、本体部２１と枠体２２とを一体化するようにしている。
【００２６】
端子部材１１は、細長薄板状に形成されて複数が並設配置されるものであって、ハウジング１０の端子取付部３０に埋設固定される取付基部５０と、取付基部５０から下方に延びて基板２に接続される基板接続部５３と、取付基部５０の上端部においてハウジング１０の収納部２０側に折り返される折り曲げ部５２と、折り曲げ部５２よりも先端側を構成し電気部品３の外部接触部と接触する接触部５１とを備えている。
【００２７】
接触部５１は、折り曲げ部５２における折り曲げによって、電気部品３の挿入方向に沿って収納部２０の奥側に向かって延出するように形成されており、したがって電気部品３が収納部２０に収納されるのに伴って、電気部品３の外部接触部が形成された面に押圧されて取付基部５０側に変位する。接触部５１が折り曲げ部５２を介して取付基部５０に対してこのように配置されていることにより、電気部品３の挿入に伴い接触部５１が座屈変形することを防止することができる。
【００２８】
図３には、電気部品用ソケット１の平面図を示している。この図に示すように、電気部品用ソケット１の上面は装着開口３１として開口し、端子部材１１が設けられる第１の面２３と、規制部３２が形成された第２の面２４と、それらを繋ぐ両側面との間の領域に電気部品３を挿入することができるようにされている。電気部品３は、収納部２０に装着されることで、外部接触部が形成された面が第１の面２３と対向し、外部接触部は端子部材１１の接触部５１と導通した状態となり、外部接触部が形成された面と反対側の面は第２の面２４に当接して、第１の面２３と第２の面２４とが向かい合う方向における電気部品３の移動が規制される。
【００２９】
収納部２０に装着された電気部品３は、折り曲げ部５２において弾性を有する端子部材１１によって第２の面２４側に若干付勢された状態となるため、第２の面２４に形成された規制部３２に対し圧接することとなる。ここで、規制部３２は金属からなる枠体２２に形成されており、また電気部品３に対して面状に当接するので、第１の面２３と第２の面２４が向かい合う方向について高い剛性を有している。したがって、電気部品３を傾きなく精度よく位置決めして固定することができる。
【００３０】
図４には、電気部品３を電気部品用ソケット１に装着した状態の斜視図を示している。本実施形態における電気部品３は、カメラモジュールであり、電気部品用ソケット１の収納部２０に納められる基部４０と、基部４０から突出したレンズ部４１とを有している。この電気部品３を電気部品用ソケット１の収納部２０に装着すると、基部４０は収納部２０に納められて規制部３２が当接し、それによって前述のように電気部品３の移動が規制される。それと共にレンズ部４１は電気部品用ソケット１の開口部３４から突出するように配置される。このように、本実施形態の電気部品用ソケット１は、カメラモジュールである電気部品３を確実に位置決めしつつ、レンズ部４１を外方に向けて露出されるようにすることができる。
【００３１】
また、電気部品３を電気部品用ソケット１に装着した際には、枠体２２に形成されるロック片３３が電気部品３に係合する。図５には、電気部品３が装着された電気部品用ソケット１の縦断面図を示している。この図に示すように、電気部品３には、上端両側部に切欠状の被係合部４２が形成されており、電気部品３が収納部２０に装着された状態でロック片３３が被係合部４２に係合する。
【００３２】
ロック片３３は、前述のように枠体２２の上端部から内側下方に向かって延び、また弾性を有するように形成されているので、電気部品３が挿入される際には、電気部品３の側面によって外側に向かって変形され、電気部品３が収納部２０に装着されるのに伴って、被係合部４２が切欠状に形成されていることにより元の形状に復帰し、これと係合した状態となる。このように電気部品用ソケット１のロック片３３が電気部品３の被係合部４２に係合することにより、電気部品３が収納部２０から抜けないようにすることができる。
【００３３】
以上、本発明の実施形態について説明したが、本発明の適用は本実施形態には限られず、その技術的思想の範囲内において様々に適用されうるものである。例えば、本実施形態では装着される電気部品３をカメラモジュールとしたが、それ以外の電気部品であってもよい。また、本実施形態では接触部５１が配置される第１の面２３は基板２と垂直となるように配置したが、第１の面２３を基板２に対する取付面としてもよい。ただし、本実施形態のように配置した方が、装着開口３１が上方を向くので、電気部品３を取付けやすくなる。
【図面の簡単な説明】
【００３４】
【図１】本実施形態における電気部品用ソケットと電気部品の分解斜視図である。
【図２】電気部品用ソケットの分解斜視図である。
【図３】電気部品用ソケットの平面図である。
【図４】電気部品を電気部品用ソケットに装着した状態の斜視図である。
【図５】電気部品が装着された電気部品用ソケットの縦断面図である。
【符号の説明】
【００３５】
１    電気部品用ソケット
２    基板
３    電気部品
１０    ハウジング
１１    端子部材
２０    収納部
２１    本体部
２２    枠体
２３    第１の面
２４    第２の面
２５    係合部
２６    挿入片
３０    端子取付部
３１    装着開口
３２    規制部
３２ａ  傾斜面
３３    ロック片
３４    開口部
４０    基部
４１    レンズ部
４２    被係合部
５０    取付基部
５１    接触部
５２    折り曲げ部
５３    基板接続部
【図１】
2009054453.tif 000003
【図２】
2009054453.tif 000004
【図３】
2009054453.tif 000005
【図４】
2009054453.tif 000006
【図５】
2009054453.tif 000007